(57)【特許請求の範囲】
【請求項１】
移動通信システムにおける端末の動作方法であって、
無線リンク障害（ＲＬＦ：Ｒａｄｉｏ Ｌｉｎｋ Ｆａｉｌｕｒｅ）またはハンドオーバー失敗によって接続再設定または接続設定手続きを実行するステップと、
前記手続きを実行した後、基地局にＲＬＦ情報報告を送信するステップと、を含み、
前記ＲＬＦ情報報告は、ハンドオーバー命令を受信してから前記ＲＬＦまたは前記ハンドオーバー失敗までに経過した時間に対する情報を含み、
前記端末が最近ハンドオーバーを実行したか否かは、前記時間に基づいて判断され、
前記ＲＬＦまたは前記ハンドオーバー失敗の原因は、あまりにも早いハンドオーバー(too early handover)、あまりにも遅いハンドオーバー(too late handover)、誤ったセルへのハンドオーバー(handover to wrong cell)のうちの一つを含むことを特徴とする方法。
【請求項２】
前記時間がしきい値より大きい場合、前記最近ハンドオーバーが実行されないことが判断されて、
前記時間が前記しきい値より小さい場合、前記最近ハンドオーバーが実行されたことが判断されることを特徴とする請求項１に記載の方法。
【請求項３】
前記ＲＬＦ情報報告を送信するステップは、
前記ＲＬＦまたは前記ハンドオーバー失敗前から予め定義された区間内に前記端末が前記ハンドオーバーの実行に成功するか否かを判断するステップと、
前記ＲＬＦまたは前記ハンドオーバー失敗前から予め定義された区間内に前記端末が前記ハンドオーバーの実行に成功したか否かを指示する情報を送信するステップと、を含むことを特徴とする請求項１に記載の方法。
【請求項４】
前記ＲＬＦ情報報告は、前記ＲＬＦまたは前記ハンドオーバー失敗前から予め定義された区間内に前記端末が前記ハンドオーバーの実行に成功したか否かに対する情報；前記ＲＬＦ及び前記ハンドオーバー失敗が発生した時の前記端末のサービングセル及び前記端末の隣接するセルに対する前記端末による測定結果；前記ＲＬＦまたは前記ハンドオーバー失敗が発生したセルへハンドオーバーする前に前記端末が位置するセルの識別情報；前記ＲＬＦまたは前記ハンドオーバー失敗が発生したセルの識別情報；前記ＲＬＦまたは前記ハンドオーバー失敗が発生した時刻から以後の前記接続再設定の成功または接続設定の成功までの間の時間の量；の中の少なくとも一つを含むことを特徴とする請求項１に記載の方法。
【請求項５】
前記ＲＬＦ情報報告を送信する前に、前記基地局から前記ＲＬＦ情報報告の送信に対する要求を受信するステップをさらに含むことを特徴とする請求項１に記載の方法。
【請求項６】
移動通信システムにおける基地局の動作方法であって、
他の基地局のセルでの無線リンク障害（ＲＬＦ：Ｒａｄｉｏ Ｌｉｎｋ Ｆａｉｌｕｒｅ）またはハンドオーバー失敗によって端末と接続再設定または接続設定手続きを実行するステップと、
前記端末からＲＬＦ情報報告を受信するステップと、
前記ＲＬＦ情報報告を前記他の基地局に送信するステップと、を含み、
前記ＲＬＦ情報報告は、ハンドオーバー命令を受信してから前記ＲＬＦまたは前記ハンドオーバー失敗までに経過した時間に対する情報を含み、
前記端末が最近ハンドオーバーを実行したか否かは、前記時間に基づいて判断され、
前記ＲＬＦまたは前記ハンドオーバー失敗の原因は、あまりにも早いハンドオーバー(too early handover)、あまりにも遅いハンドオーバー(too late handover)、誤ったセルへのハンドオーバー(handover to wrong cell)のうちの一つを含むことを特徴とする方法。
【請求項７】
前記時間がしきい値より大きい場合、前記最近ハンドオーバーがないと判断されて、
前記時間が前記しきい値より小さい場合、前記最近ハンドオーバーがあると判断されることを特徴とする請求項６に記載の方法。
【請求項８】
前記ＲＬＦ情報報告は、前記ＲＬＦまたは前記ハンドオーバー失敗前から予め定義された区間内に前記端末が前記ハンドオーバーの実行に成功したか否かに対する情報；前記ＲＬＦ及び前記ハンドオーバー失敗が発生した時の前記端末のサービングセル及び前記端末の隣接するセルに対する前記端末による測定結果；前記ＲＬＦまたは前記ハンドオーバー失敗が発生したセルへハンドオーバーする前に前記端末が位置するセルの識別情報；前記ＲＬＦまたは前記ハンドオーバー失敗が発生したセルの識別情報；前記ＲＬＦまたは前記ハンドオーバー失敗が発生した時刻から以後の前記接続再設定の成功または接続設定の成功までの間の時間の量；の中の少なくとも一つを含むことを特徴とする請求項６に記載の方法。
【請求項９】
前記ＲＬＦまたは前記ハンドオーバー失敗前から予め定義された区間内に前記端末が前記ハンドオーバーの実行に成功したか否かに対する情報は、前記ＲＬＦまたは前記ハンドオーバー失敗前から予め定義された区間内に前記端末が前記ハンドオーバーの実行に成功したか否かを指示する情報を含むことを特徴とする請求項８に記載の方法。
【請求項１０】
前記端末から前記ＲＬＦ情報報告を受信する前に、前記端末に前記ＲＬＦ情報報告の送信に対する要求を送信するステップをさらに含むことを特徴とする請求項６に記載の方法。
【請求項１１】
移動通信システムにおける基地局の動作方法であって、
他の基地局から無線リンク障害（ＲＬＦ：Ｒａｄｉｏ Ｌｉｎｋ Ｆａｉｌｕｒｅ）またはハンドオーバー失敗以降に端末によって生成されたＲＬＦ情報報告を受信するステップと、
前記ＲＬＦ情報報告に基づいて前記ＲＬＦまたは前記ハンドオーバー失敗の原因を判断するステップと、を含み、
前記ＲＬＦ情報報告は、ハンドオーバー命令を受信してから前記ＲＬＦまたはハンドオーバー失敗までに経過した時間に対する情報を含み、
前記端末が最近ハンドオーバーを実行したか否かは、前記時間に基づいて判断され、
前記ＲＬＦまたは前記ハンドオーバー失敗の原因は、あまりにも早いハンドオーバー(too early handover)、あまりにも遅いハンドオーバー(too late handover)、誤ったセルへのハンドオーバー(handover to wrong cell)のうちの一つを含むことを特徴とする方法。
【請求項１２】
前記時間がしきい値より大きい場合、前記最近ハンドオーバーがないと判断されて、
前記時間が前記しきい値より小さい場合、前記最近ハンドオーバーがあると判断されることを特徴とする請求項１１に記載の方法。
【請求項１３】
前記ＲＬＦ情報報告は、前記ＲＬＦまたは前記ハンドオーバー失敗前から予め定義された区間内に前記端末が前記ハンドオーバーの実行に成功したか否かに対する情報；前記ＲＬＦ及び前記ハンドオーバー失敗が発生した時の前記端末のサービングセル及び前記端末の隣接するセルに対する前記端末による測定結果；前記ＲＬＦまたは前記ハンドオーバー失敗が発生したセルへハンドオーバーする前に前記端末が位置するセルの識別情報；前記ＲＬＦまたは前記ハンドオーバー失敗が発生したセルの識別情報；前記ＲＬＦまたは前記ハンドオーバー失敗が発生した時刻から以後の接続再設定の成功または接続設定の成功までの間の時間の量；の中の少なくとも一つを含むことを特徴とする請求項１１に記載の方法。
【請求項１４】
前記ＲＬＦまたは前記ハンドオーバー失敗前から予め定義された区間内に前記端末が前記ハンドオーバーの実行に成功したか否かに対する情報は、前記ＲＬＦまたは前記ハンドオーバー失敗前から予め定義された区間内に前記端末が前記ハンドオーバーの実行に成功したか否かを指示する情報を含むことを特徴とする請求項１３に記載の方法。
【請求項１５】
前記ＲＬＦまたは前記ハンドオーバー失敗の原因を判断するステップは、前記ＲＬＦまたは前記ハンドオーバー失敗前から予め定義された区間内にハンドオーバーを実行したことがないという条件、前記ＲＬＦ情報報告に良好な信号品質を持つセルに対する情報が含まれているという条件の中の少なくとも一つが満足される場合、前記ＲＬＦまたは前記ハンドオーバー失敗の原因があまりにも遅いハンドオーバーと判断するステップを含むことを特徴とする請求項１１に記載の方法。
【請求項１６】
前記ＲＬＦまたは前記ハンドオーバー失敗の原因を判断するステップは、前記ＲＬＦまたは前記ハンドオーバー失敗前から予め定義された区間内にハンドオーバーを実行したという条件、前記ＲＬＦまたは前記ハンドオーバー失敗が発生したセルへハンドオーバーする前に前記端末が位置するセルが最高の信号品質を持つという条件の中の少なくとも一つが満足される場合、前記ＲＬＦまたは前記ハンドオーバー失敗の原因をあまりにも早いハンドオーバーと判断するステップを含むことを特徴とする請求項１１に記載の方法。
【請求項１７】
前記ＲＬＦまたは前記ハンドオーバー失敗の原因を判断するステップは、前記ＲＬＦまたは前記ハンドオーバー失敗前から予め定義された区間内にハンドオーバーを実行したという条件、前記ＲＬＦまたは前記ハンドオーバー失敗が発生したセルへハンドオーバーする前に前記端末が位置するセルが最高の信号品質を持たないという条件の中の少なくとも一つが満足される場合、前記ＲＬＦまたは前記ハンドオーバー失敗の原因が誤ったセルへのハンドオーバーと判断するステップを含むことを特徴とする請求項１１に記載の方法。
【請求項１８】
移動通信システムにおける端末装置であって、
無線リンク障害（ＲＬＦ：Ｒａｄｉｏ Ｌｉｎｋ Ｆａｉｌｕｒｅ）またはハンドオーバー失敗の発生有無を判断し、判断によって接続再設定または接続設定手続きを実行する制御部と、
前記手続きを実行した後、基地局にＲＬＦ情報報告を送信するモデムと、を含み、
前記ＲＬＦ情報報告は、ハンドオーバー命令を受信してから前記ＲＬＦまたは前記ハンドオーバー失敗までに経過した時間に対する情報を含み、
前記端末装置が最近ハンドオーバーを実行したか否かは、前記時間に基づいて判断され、
前記ＲＬＦまたは前記ハンドオーバー失敗の原因は、あまりにも早いハンドオーバー(too early handover)、あまりにも遅いハンドオーバー(too late handover)、誤ったセルへのハンドオーバー(handover to wrong cell)のうちの一つを含むことを特徴とする装置。
【請求項１９】
前記時間がしきい値より大きい場合、前記最近ハンドオーバーがないと判断されて、
前記時間が前記しきい値より小さい場合、前記最近ハンドオーバーがあると判断されることを特徴とする請求項１８に記載の装置。
【請求項２０】
前記制御部は、前記ＲＬＦまたは前記ハンドオーバー失敗前から予め定義された区間内に前記端末装置が前記ハンドオーバーの実行に成功したか否かを判断し、
前記モデムは、前記ＲＬＦまたは前記ハンドオーバー失敗前から予め定義された区間内に前記端末装置が前記ハンドオーバーの実行に成功したか否かを指示する情報を送信することを特徴とする請求項１８に記載の装置。
【請求項２１】
前記ＲＬＦ情報報告は、前記ＲＬＦまたは前記ハンドオーバー失敗前から予め定義された区間内に前記端末装置が前記ハンドオーバーの実行に成功したか否かに対する情報；前記ＲＬＦ及び前記ハンドオーバー失敗が発生した時の前記端末装置のサービングセル及び前記端末装置の隣接するセルに対する前記端末装置による測定結果；前記ＲＬＦまたは前記ハンドオーバー失敗が発生したセルへハンドオーバーする前に前記端末装置が位置するセルの識別情報；前記ＲＬＦまたは前記ハンドオーバー失敗が発生したセルの識別情報；前記ＲＬＦまたは前記ハンドオーバー失敗が発生した時刻から以後の前記接続再設定の成功または接続設定の成功までの間の時間の量；の中の少なくとも一つを含むことを特徴とする請求項１８に記載の装置。
【請求項２２】
前記制御部は、前記ＲＬＦ情報報告を送信する前に、前記基地局から前記ＲＬＦ情報報告の送信に対する要求を受信するように制御することを特徴とする請求項１８に記載の装置。
【請求項２３】
移動通信システムにおける基地局装置であって、
他の基地局のセルでの無線リンク障害（ＲＬＦ：Ｒａｄｉｏ Ｌｉｎｋ Ｆａｉｌｕｒｅ）またはハンドオーバー失敗によって端末と接続再設定または接続設定手続きを実行する制御部と、
前記端末からＲＬＦ情報報告を受信するモデムと、
前記ＲＬＦ情報報告を前記他の基地局に送信するバックホール通信部と、を含み、
前記ＲＬＦ情報報告は、ハンドオーバー命令を受信してから前記ＲＬＦまたは前記ハンドオーバー失敗までに経過した時間に対する情報を含み、
前記端末が最近ハンドオーバーを実行したか否かは、前記時間に基づいて判断され、
前記ＲＬＦまたは前記ハンドオーバー失敗の原因は、あまりにも早いハンドオーバー(too early handover)、あまりにも遅いハンドオーバー(too late handover)、誤ったセルへのハンドオーバー(handover to wrong cell)のうちの一つを含むことを特徴とする装置。
【請求項２４】
前記時間がしきい値より大きい場合、前記最近ハンドオーバーがないと判断されて、
前記時間が前記しきい値より小さい場合、前記最近ハンドオーバーがあると判断されることを特徴とする請求項２３に記載の装置。
【請求項２５】
前記ＲＬＦ情報報告は、前記ＲＬＦまたは前記ハンドオーバー失敗前から予め定義された区間内に前記端末が前記ハンドオーバーの実行に成功したか否かに対する情報；前記ＲＬＦ及び前記ハンドオーバー失敗が発生した時の前記端末のサービングセル及び前記端末の隣接するセルに対する前記端末による測定結果；前記ＲＬＦまたは前記ハンドオーバー失敗が発生したセルへハンドオーバーする前に前記端末が位置するセルの識別情報；前記ＲＬＦまたは前記ハンドオーバー失敗が発生したセルの識別情報；前記ＲＬＦまたは前記ハンドオーバー失敗が発生した時刻から以後の前記接続再設定の成功または接続設定の成功までの間の時間の量；の中の少なくとも一つを含むことを特徴とする請求項２３に記載の装置。
【請求項２６】
前記ＲＬＦまたは前記ハンドオーバー失敗前から予め定義された区間内に前記端末が前記ハンドオーバーの実行に成功したか否かに対する情報は、前記ＲＬＦまたは前記ハンドオーバー失敗前から予め定義された区間内に前記端末が前記ハンドオーバーの実行に成功したか否かを指示する情報を含むことを特徴とする請求項２５に記載の装置。
【請求項２７】
前記制御部は、前記端末から前記ＲＬＦ情報報告を受信する前に、前記端末に前記ＲＬＦ情報報告の送信に対する要求を送信するように制御することを特徴とする請求項２３に記載の装置。
【請求項２８】
移動通信システムにおける基地局装置であって、
他の基地局から無線リンク障害（ＲＬＦ：Ｒａｄｉｏ Ｌｉｎｋ Ｆａｉｌｕｒｅ）またはハンドオーバー失敗以降に端末によって生成されたＲＬＦ情報報告を受信するバックホール通信部と、
前記ＲＬＦ情報報告に基づいて前記ＲＬＦまたは前記ハンドオーバー失敗の原因を判断する制御部と、を含み、
前記ＲＬＦ情報報告は、ハンドオーバー命令を受信してから前記ＲＬＦまたは前記ハンドオーバー失敗までに経過した時間に対する情報を含み、
前記端末が最近ハンドオーバーを実行したか否かは、前記時間に基づいて判断され、
前記ＲＬＦまたは前記ハンドオーバー失敗の原因は、あまりにも早いハンドオーバー(too early handover)、あまりにも遅いハンドオーバー(too late handover)、誤ったセルへのハンドオーバー(handover to wrong cell)のうちの一つを含むことを特徴とする装置。
【請求項２９】
前記時間がしきい値より大きい場合、前記最近ハンドオーバーがないと判断されて、
前記時間が前記しきい値より小さい場合、前記最近ハンドオーバーがあると判断されることを特徴とする請求項２８に記載の装置。
【請求項３０】
前記ＲＬＦ情報報告は、前記ＲＬＦまたは前記ハンドオーバー失敗前から予め定義された区間内に前記端末が前記ハンドオーバーの実行に成功したか否かに対する情報；前記ＲＬＦ及び前記ハンドオーバー失敗が発生した時の前記端末のサービングセル及び前記端末の隣接するセルに対する前記端末による測定結果；前記ＲＬＦまたは前記ハンドオーバー失敗が発生したセルへハンドオーバーする前に前記端末が位置するセルの識別情報；前記ＲＬＦまたは前記ハンドオーバー失敗が発生したセルの識別情報；前記ＲＬＦまたは前記ハンドオーバー失敗が発生した時刻から以後の接続再設定の成功または接続設定の成功までの間の時間の量；の中の少なくとも一つを含むことを特徴とする請求項２８に記載の装置。
【請求項３１】
前記ＲＬＦまたは前記ハンドオーバー失敗前から予め定義された区間内に前記端末が前記ハンドオーバーの実行に成功したか否かに対する情報は、前記ＲＬＦまたは前記ハンドオーバー失敗前から予め定義された区間内に前記端末が前記ハンドオーバーの実行に成功したか否かを指示する情報を含むことを特徴とする請求項３０に記載の装置。
【請求項３２】
前記制御部は、前記ＲＬＦまたは前記ハンドオーバー失敗前から予め定義された区間内にハンドオーバーを実行したことがないという条件、前記ＲＬＦ情報報告に良好な信号品質を持つセルに対する情報が含まれているという条件の中の少なくとも一つが満足される場合、前記ＲＬＦまたは前記ハンドオーバー失敗の原因があまりにも遅いハンドオーバーと判断することを特徴とする請求項２８に記載の装置。
【請求項３３】
前記制御部は、前記ＲＬＦまたは前記ハンドオーバー失敗前から予め定義された区間内にハンドオーバーを実行したという条件、前記ＲＬＦまたは前記ハンドオーバー失敗が発生したセルへハンドオーバーする前に前記端末が位置するセルが最高の信号品質を持つという条件の中の少なくとも一つが満足される場合、前記ＲＬＦまたは前記ハンドオーバー失敗の原因をあまりにも早いハンドオーバーと判断することを特徴とする請求項２８に記載の装置。
【請求項３４】
前記制御部は、前記ＲＬＦまたは前記ハンドオーバー失敗前から予め定義された区間内にハンドオーバーを実行したという条件、前記ＲＬＦまたは前記ハンドオーバー失敗が発生したセルへハンドオーバーする前に前記端末が位置するセルが最高の信号品質を持たないという条件の中の少なくとも一つが満足される場合、前記ＲＬＦまたは前記ハンドオーバー失敗の原因が誤ったセルへのハンドオーバーと判断することを特徴とする請求項２８に記載の装置。
【発明の詳細な説明】
【技術分野】
【０００１】
本発明は移動通信システムに関するものである。特に、本発明はＲＬＦ（無線リンク失敗：Ｒａｄｉｏ  Ｌｉｎｋ  Ｆａｉｌｕｒｅ）およびハンドオーバー失敗（Ｈａｎｄｏｖｅｒ  Ｆａｉｌｕｒｅ）の原因を検出するための装置および方法に関するものである。
【背景技術】
【０００２】
通信技術の発展によって、移動通信システムはＳＡＥ（Ｓｙｓｔｅｍ  Ａｒｃｈｉｔｅｃｔｕｒｅ  Ｅｖｏｌｕｔｉｏｎ）システムへ進化して来た。図１は従来技術によるＳＡＥシステムの概略的な構造を図示している。前記図１を参考すると、ＳＡＥシステムはＥ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）１０１、ＭＭＥ（モバイルマネージメントエンティティー：Ｍｏｂｉｌｅ  Ｍａｎａｇｅｍｅｎｔ  Ｅｎｔｉｔｙ）１０５およびＳ−ＧＷ（サービングゲートウェイ：Ｓｅｒｖｉｎｇ  Ｇａｔｅｗａｙ）１０６を含むコアネットワーク（Ｃｏｒｅ  Ｎｅｔｗｏｒｋ）を含んでいる。前記Ｅ−ＵＴＲＡＮ１０１はＵＥ（使用者装置：Ｕｓｅｒ  Ｅｑｕｉｐｍｅｎｔ）を前記コアネットワークに接続させるように構成され、少なくとも一つのｅＮＢ（イーノードビー：ｅｖｏｌｖｅｄ  Ｎｏｄｅ  Ｂ）１０２および少なくとも一つのＨｅＮＢ（ホームイーノードビー：Ｈｏｍｅ  ｅＮＢ）１０３を含んでおり、さらに任意のＨｅＮＢ  ＧＷ（ホームイーノードビーゲートウェイ：ＨｅＮＢ  Ｇａｔｅ  Ｗａｙ）１０４を含むことができる。前記ＭＭＥ１０５および前記Ｓ−ＧＷ１０６は一つのモジュールに統合されることができるし、または、分離して実装されることができる。前記ｅＮＢ１０２は他のｅＮＢ１０２とＸ２インターフェースを介して接続され、前記ＭＭＥ１０５および前記Ｓ−ＧＷ１０６のそれぞれとＳ１インターフェースを介して接続される。前記ＨｅＮＢ１０３は前記ＭＭＥ１０５および前記Ｓ−ＧＷ１０６のそれぞれとＳ１インターフェースを介して接続されるか、または、前記ＨｅＮＢ  ＧＷ１０４とＳ１インターフェースを介して接続され、続いて前記ＨｅＮＢ  ＧＷ１０４が前記ＭＭＥ１０５および前記Ｓ−ＧＷ１０６のそれぞれとＳ１インターフェースを介して接続されることができる。
【０００３】
ＳＡＥシステム開発の初期段階またはＳＡＥシステムの運営段階において、前記ＳＡＥシステムはシステムのパラメーター、特に、良好なカバレッジ、容量、移動性強化、負荷均衡などの無線パラメーターを最適化するために多くの数の人力および物質的資源を使用する必要がある。ＳＡＥシステムの運営手続きの間に消費する人的/物質的資源の節約のために、ＳＡＥシステムを自己最適化（ｓｅｌｆ−ｏｐｔｉｍｉｚｉｎｇ）する方案が提示されたことがある。前記自己最適化手続きの間に、ｅＮＢまたはＨｅＮＢの構成はＳＡＥシステムの現在の段階によって最適化される。以下の自己最適化の方案に対する説明で、説明の便宜のために前記ｅＮＢおよび前記ＨｅＮＢのすべてはｅＮＢと呼ばれる。
【０００４】
図２は従来技術によるＳＡＥシステムの自己最適化の基本原理を概略的に図示している。前記図２を参考すると、ｅＮＢが電力をターンオン（ｔｕｒｎ  ｏｎ）するか、またはＳＡＥシステムに接続した後、自己構成（ｓｅｌｆ−ｃｏｎｆｉｇｕｒｉｎｇ）の手続きが開始されることができる。前記自己構成の手続きは前記ｅＮＢのための基本構成（ｂａｓｉｃ  ｃｏｎｆｉｇｕｒａｔｉｏｎ）２１０および初期無線パラメーター構成（ｉｎｉｔｉａｌ  ｒａｄｉｏ  ｐａｒａｍｅｔｅｒ  ｃｏｎｆｉｇｕｒａｔｉｏｎ）２２０を含んでいる。前記ｅＮＢのための基本構成２１０は、前記ｅＮＢのＩＰ（Ｉｎｔｅｒｎｅｔ  Ｐｒｏｔｏｃｏｌ）アドレスを構成して、ＯＡＭ（Ｏｐｅｒａｔｉｏｎ  Ａｄｍｉｎｉｓｔｒａｔｉｏｎ  ａｎｄ  Ｍａｉｎｔｅｎａｎｃｅ）を検出するステップ２１１と、前記ｅＮＢおよび前記コアネットワークの間を認証するステップ２１２と、前記ｅＮＢがＨｅＮＢの場合は前記ｅＮＢが属するＨｅＮＢ  ＧＷを検出するステップ２１３と、自己構成のための前記ｅＮＢの運営およびソフトウェアのパラメーターをダウンロードするステップ２１４と、を含んでいる。前記初期無線パラメーター構成２２０は実験またはシミュレーションによって実装されることができる。ＳＡＥシステムで各ｅＮＢの性能はそのｅＮＢが位置する地域の環境に影響を受けるため、前記ｅＮＢは前記ｅＮＢが位置する地域の環境によって無線パラメーター構成を初期化する。具体的に、前記ｅＮＢは近隣地域リストの初期構成２２１および負荷均衡のための初期構成２２２を実行する。前記自己構成の手続きの以後、前記ｅＮＢによって構成された多くのパラメーターが最適化される。すなわち、ＳＡＥシステムの性能を拡大するため、前記ｅＮＢの構成は最適化または調節されることが好ましくて、これは移動通信システムの自己最適化と呼ばれることもある。前記ｅＮＢの構成の最適化または調節はバックグラウンドでＯＡＭの制御下にｅＮＢによって実装することができる。具体的に、前記ｅＮＢおよび前記ＯＡＭ間の規格化されたインターフェースが存在することができるし、前記ＯＡＭは前記規格化されたインターフェースを介してｅＮＢ（例:ｅＮＢまたはＨｅＮＢ）に最適化されるパラメーターを送信することができるし、前記ｅＮＢは最適化されるパラメーターによって自己構成の段階でパラメーターを最適化することができる。または、前記ｅＮＢの構成は、前記ｅＮＢ自身によって最適化されるか、または調節されることができる。例えば、前記ｅＮＢは最適化される性能を検出または取得し、前記性能によって自身のパラメーターを最適化または調節することができる。前記ｅＮＢの構成に対する最適化または調節２３０は、近隣地域リストを自己最適化するステップ２３１と、カバレッジおよび容量（図示せず）を自己最適化するステップと、移動性強化（図示せず）を自己最適化するステップと、負荷均衡を自己最適化するステップ２３２と、ＲＡＣＨ（Ｒａｎｄｏｍ  Ａｃｃｅｓｓ  Ｃｈａｎｎｅｌ）パラメーター（図示せず）を自己最適化するステップと、を含むことができる。
【０００５】
現在、ＳＡＥリリース８は近隣地域リストの自己最適化を提案し、リリース９はカバレッジおよび容量の自己最適化および移動性強化の自己最適化を提案した。定義された技法での自己最適化の基本原理は次のようである。最後に成功したＵＥのハンドオーバーおよびＵＥがＲＲＣ（Ｒａｄｉｏ  Ｒｅｓｏｕｒｃｅ  Ｃｏｎｔｒｏｌ）接続再設定を試みた時点間の差によって、自己最適化を実行するように、前記ｅＮＢはハンドオーバーが遅すぎたか、あまりにも早いか、または、誤ったセルに実行されることを判断する。
【０００６】
しかし、前述した従来技術による自己最適化のための技法で、ＵＥがＲＲＣ接続を成功的に再設定した後、ＵＥによって取得されたＵＥ測定情報によってハンドオーバーがあまりにも遅れているのか、またはカバレッジリーク（ｃｏｖｅｒａｇｅ  ｌｅａｋ）が発生しているのかの有無が判断されることができる。しかし、ＵＥがＲＲＣの接続再設定に失敗した後、例えば、前記ｅＮＢがＲＲＣ再設定の要求(ＲＲＣ  ｒｅ−ｅｓｔａｂｌｉｓｈｍｅｎｔ  ｒｅｑｕｅｓｔ)を受信したが再設定手続きの間に失敗した場合、ＵＥがＲＲＣの接続再設定を試みたｅＮＢは、ＲＬＦ指示をＲＬＦが発生したセルを担当するｅＮＢに送信すれば、前記ＲＬＦが発生したセルは、カバレッジリークまたはあまりにも遅いハンドオーバーが発生したのか区分することができる。一方、ＵＥがＲＲＣの接続再設定を試みたｅＮＢがＲＬＦが発生したセルを担当するｅＮＢにＲＬＦ指示を送信しなければ、前記ＲＬＦが発生したセルはＵＥが最後のハンドオーバーを成功した時間およびＵＥがＲＲＣの接続再設定を試みた時間の差を知ることができなくて、これによって、ハンドオーバーが遅すぎたのか、早すぎるのか、誤ったセルに実行されたのかを区分することができない。または、ＵＥがネットワークに再接続した後、ネットワークに前記の差を報告しても、前記ＵＥがＲＲＣ再設定を試みた時間およびＲＬＦ/ハンドオーバー失敗の時間の差が大きいから、前記のネットワークはあいかわらず誤った判断をする可能性がある。
【０００７】
前述のように、ＲＬＦまたはハンドオーバー失敗の原因を検出するための従来技術による方案を用いる自己最適化において、ＲＲＣの接続再設定を失敗した後、ネットワークがあいかわらずＲＲＣ接続が成功的に再設定されるのかの有無によって決定された失敗の原因に基づいて自己最適化を実行したら、失敗の原因についての分析は間違っている可能性がある。これによって、自己最適化の手続きも間違う可能性があるし、ネットワークの性能に影響を及ぼすようになる。
【発明の概要】
【発明が解決しようとする課題】
【０００８】
本発明の目的は前述した問題点および短所を解決するためのもので、次のような利点の中の少なくとも一つを提供する。したがって、本発明の目的は、移動通信システムでＲＬＦまたはハンドオーバー失敗の原因に応じて適切な自己最適化を実行して、移動通信システムで適切な自己最適化を通じて性能を向上させるために、ＲＬＦまたはハンドオーバー失敗の原因を検出するための方法を提供することにある。
【課題を解決するための手段】
【０００９】
前記目的を果たすための本発明の見地によると、移動通信システムにおける端末の動作方法が提供される。前記方法は、無線リンク失敗またはハンドオーバー失敗の発生有無を判断するステップと、前記無線リンク失敗または前記ハンドオーバー失敗を経験した後、接続再設定または接続設定手続きを通じて接続モードに進入するステップと、前記接続モードに進入した後、基地局に無線リンク失敗情報報告を送信するステップと、を含んでいる。前記無線リンク失敗情報報告は、前記端末が無線リンク失敗またはハンドオーバー失敗を経験する前にハンドオーバーを実行したことがあるのかの有無を知らせる情報、無線リンク失敗またはハンドオーバー失敗が発生した時に前記端末の隣接するセルおよびサービングセルに対するＵＥ測定の結果、無線リンク失敗またはハンドオーバー失敗が発生したセルにハンドオーバーする前に前記端末が位置するセルの識別情報、無線リンク失敗またはハンドオーバー失敗が発生したセルの識別情報、無線リンク失敗またはハンドオーバー失敗の時刻および以後の接続再設定の成功または接続設定成功の時刻間の時間の量の中の少なくとも一つを含んでいる。
【００１０】
前記目的を果たすための本発明の他の見地によると、移動通信システムにおける基地局の動作方法が提供される。前記方法は、無線リンク失敗またはハンドオーバー失敗を経験した端末と接続再設定または接続設定手続きを実行するステップと、前記端末から無線リンク失敗情報報告を受信するステップと、前記無線リンク失敗情報報告を前記無線リンク失敗または前記ハンドオーバーが発生したセルを制御する基地局に送信するステップと、を含んでいる。前記無線リンク失敗情報報告は、前記端末が無線リンク失敗またはハンドオーバー失敗を経験する前にハンドオーバーを実行したことがあるのかの有無を知らせる情報、無線リンク失敗またはハンドオーバー失敗が発生した時に前記端末の隣接するセルおよびサービングセルに対するＵＥ測定の結果、無線リンク失敗またはハンドオーバー失敗が発生したセルにハンドオーバーする前に前記端末が位置するセルの識別情報、無線リンク失敗またはハンドオーバー失敗が発生したセルの識別情報、無線リンク失敗またはハンドオーバー失敗の時刻および以後の接続再設定の成功または接続設定成功の時刻間の時間の量の中の少なくとも一つを含んでいる。
【００１１】
前記目的を果たすための本発明のまた他の見地によると、移動通信システムにおける基地局の動作方法を提供する。前記方法は、他の基地局から無線リンク失敗またはハンドオーバー失敗を経験した端末によって生成された無線リンク失敗情報報告を受信するステップと、前記無線リンク失敗情報報告によって前記無線リンク失敗または前記ハンドオーバー失敗の原因を判断するステップを含んでいる。前記無線リンク失敗情報報告は、前記端末が無線リンク失敗またはハンドオーバー失敗を経験する前にハンドオーバーを実行したことがあるのかの有無を知らせる情報、無線リンク失敗またはハンドオーバー失敗が発生した時に前記端末の隣接するセルおよびサービングセルに対するＵＥ測定の結果、無線リンク失敗またはハンドオーバー失敗が発生したセルにハンドオーバーする前に前記端末が位置するセルの識別情報、無線リンク失敗またはハンドオーバー失敗が発生したセルの識別情報、無線リンク失敗またはハンドオーバー失敗の時刻および以後の接続再設定の成功または接続設定成功の時刻間の時間の量の中の少なくとも一つを含んでいる。
【００１２】
前記目的を果たすための本発明のまた他の見地によると、移動通信システムにおける端末が提供される。前記端末は、無線リンク失敗またはハンドオーバー失敗の発生の有無を判断し、前記無線リンク失敗または前記ハンドオーバー失敗を経験した後、接続再設定または接続設定手続きを通じて接続モードに進入する制御部と、前記接続モードに進入した後、基地局に無線リンク失敗情報報告を送信するモデムを含んでいる。前記無線リンク失敗情報報告は、前記端末が無線リンク失敗またはハンドオーバー失敗を経験する前にハンドオーバーを実行したことがあるのかの有無を知らせる情報、無線リンク失敗またはハンドオーバー失敗が発生した時に前記端末の隣接するセルおよびサービングセルに対するＵＥ測定の結果、無線リンク失敗またはハンドオーバー失敗が発生したセルにハンドオーバーする前に前記端末が位置するセルの識別情報、無線リンク失敗またはハンドオーバー失敗が発生したセルの識別情報、無線リンク失敗またはハンドオーバー失敗の時刻および以後の接続再設定の成功または接続設定成功の時刻間の時間の量の中の少なくとも一つを含んでいる。
【００１３】
前記目的を果たすための本発明のまた他の見地によると、移動通信システムにおける基地局が提供される。前記基地局は、無線リンク失敗またはハンドオーバー失敗を経験した端末と接続再設定または接続設定手続きを実行する制御部と、前記端末から無線リンク失敗情報報告を受信するモデムと、前記無線リンク失敗情報報告を前記無線リンク失敗または前記ハンドオーバーが発生したセルを制御する基地局に送信するバックホール（ｂａｃｋｈａｕｌ）通信部と、を含んでいる。前記無線リンク失敗情報報告は、前記端末が無線リンク失敗またはハンドオーバー失敗を経験する前にハンドオーバーを実行したことがあるのかの有無を知らせる情報、無線リンク失敗またはハンドオーバー失敗が発生した時に前記端末の隣接するセルおよびサービングセルに対するＵＥ測定の結果、無線リンク失敗またはハンドオーバー失敗が発生したセルにハンドオーバーする前に前記端末が位置するセルの識別情報、無線リンク失敗またはハンドオーバー失敗が発生したセルの識別情報、無線リンク失敗またはハンドオーバー失敗の時刻および以後の接続再設定の成功または接続設定成功の時刻間の時間の量の中の少なくとも一つを含んでいる。
【００１４】
前記目的を果たすための本発明のまた他の見地によると、移動通信システムにおける基地局が提供される。前記基地局は、他の基地局から無線リンク失敗またはハンドオーバー失敗を経験した端末によって生成された無線リンク失敗情報報告を受信するバックホール通信部と、前記無線リンク失敗情報報告によって前記無線リンク失敗または前記ハンドオーバー失敗の原因を判断する制御部を含んでいる。前記無線リンク失敗情報報告は、前記端末が無線リンク失敗またはハンドオーバー失敗を経験する前にハンドオーバーを実行したことがあるのかの有無を知らせる情報、無線リンク失敗またはハンドオーバー失敗が発生した時に前記端末の隣接するセルおよびサービングセルに対するＵＥ測定の結果、無線リンク失敗またはハンドオーバー失敗が発生したセルにハンドオーバーする前に前記端末が位置するセルの識別情報、無線リンク失敗またはハンドオーバー失敗が発生したセルの識別情報、無線リンク失敗またはハンドオーバー失敗の時刻および以後の接続再設定の成功または接続設定成功の時刻間の時間の量の中の少なくとも一つを含んでいる。
【００１５】
本発明の他の見地、利益、主な特徴は、以下の添付された本発明の実施例および図面とともに説明される詳細な説明から当業者に明らかに認識される。
【図面の簡単な説明】
【００１６】
【図１】従来技術によるＳＡＥシステムの概略的な構造を図示する図面である。
【図２】従来技術によるＳＡＥシステムの自己最適化の基本原理を概略的に図示する図面である。
【図３】本発明の実施例による移動通信システムでＲＬＦまたはハンドオーバー失敗の原因を検出する手続きを図示する図面である。
【図４ａ】本発明の実施例による移動通信システムでＵＥがｅＮＢにＲＬＦまたはハンドオーバー失敗の情報を送信するためのシグナリングを図示する図面である。
【図４ｂ】本発明の他の実施例による移動通信システムでＵＥがｅＮＢにＲＬＦまたはハンドオーバー失敗の情報を送信するためのシグナリングを図示する図面である。
【図５】本発明の実施例による移動通信システムでＲＬＦまたはハンドオーバー失敗の原因を判断する手続きを図示する図面である。
【図６】本発明の実施例による移動通信システムにおけるＵＥのブロック構成を図示する図面である。
【図７】本発明の実施例による移動通信システムにおけるｅＮＢのブロック構成を図示する図面である。
【発明を実施するための形態】
【００１７】
前記の図面で、参照番号は、等しいか、または類似の要素、特徴、構造を説明するために用いられる。
以下、図面を参考した説明は、請求範囲およびそれと同等のものによって定義される本発明の実施例の包括的な理解を助けるために提供される。以下の説明は理解を助けるために様々な具体的な詳細事項を含むが、ただ、例として扱われるだけである。したがって、本発明の思想や範囲を外れない限度内で実施例の様々な変形および修正が可能である。また、広く知られている機能と構造の説明は明確性のために省略される。
【００１８】
従来技術での前述した問題点を解消するため、本発明の実施例はＲＬＦ（無線リンク失敗）またはハンドオーバー失敗の原因を検出するための方案を提示する。具体的に、ｅＮＢがＵＥによって判断されたＲＬＦまたはハンドオーバー失敗の原因を正しく検出するように、ＵＥがｅＮＢにＲＬＦまたはハンドオーバー失敗に対する情報を含むＲＬＦ情報報告を送信して、これによって、前記ｅＮＢが検出された原因に応じて移動通信システムに対する適切な自己最適化を実行することができるし、これにより、移動通信システムの性能が向上することができる。
【００１９】
以下、説明の便宜のために、本発明の実施例は３ＧＰＰ  ＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ）規格で定義している用語および名称を用いる。しかし、本発明が前記用語および名称によって限定されるものではなく、他の規格によるシステムにも等しく適用されることができる。例えば、以下の説明で用いられる‘ＵＥ’は端末、使用者端末、移動局などの用語に振り替えられることができるし、‘ｅＮＢ’は基地局、ＲＡＳ（Ｒａｄｉｏ  Ａｃｃｅｓｓ  Ｓｔａｔｉｏｎ）などの用語に振り替えられることができる。
【００２０】
本発明の実施例の技術的特徴は次のようである。
【００２１】
ＵＥはＲＬＦおよびハンドオーバー失敗を経験する。前記ＵＥが接続モードに進入する時、前記ＵＥはＲＬＦ情報報告をｅＮＢに送信する。前記ＲＬＦ情報報告は次のような情報を含むことができる。前記ＲＬＦ情報報告はＵＥがＲＬＦまたはハンドオーバー失敗を経験する前にハンドオーバーを実行したことがあるのかの有無を知らせる情報、ＲＬＦまたはハンドオーバー失敗が発生した時にＵＥの隣接するセルおよびサービングセルに対するＵＥ測定の結果、ＲＬＦまたはハンドオーバー失敗が発生したセルにハンドオーバーする前にＵＥが位置するセルの識別情報、ＲＬＦまたはハンドオーバー失敗が発生したセルの識別情報、ＲＬＦまたはハンドオーバー失敗の時刻および以後のＲＲＣの接続再設定の成功またはＲＲＣの接続設定の成功の時刻間の時間の量の中の少なくとも一つを含んでいる。そして、前記ＲＬＦ情報報告によって、前記ｅＮＢは前記ＵＥが経験したＲＬＦまたはハンドオーバー失敗の原因が早すぎるハンドオーバーのためか、あまりにも遅いハンドオーバーのためか、誤ったセルに試みたことからか、または、カバレッジホール（ｃｏｖｅｒａｇｅ  ｈｏｌｅ）のためかを判断することができる。
【００２２】
本発明の目的、技術的特徴および利点をより明確にするために、以下の本発明は図面を参考して詳しく説明される。
【００２３】
図３は本発明の実施例による移動通信システムでＲＬＦまたはハンドオーバー失敗の原因を検出する手続きを図示している。
【００２４】
前記図３を参考すると、３０１段階で、ＵＥはＲＬＦまたはハンドオーバー失敗を経験する。
【００２５】
続いて、３０２段階で、ＲＲＣ接続が成功的に再設定されるか、またはＲＲＣ接続が成功的に設定された後、前記ＵＥは進行して前記ＵＥが前記ＲＬＦまたは前記ハンドオーバー失敗を経験する前に最近ハンドオーバーを実行したのかの有無の情報を含む失敗情報を前記ｅＮＢに送信する。前記３０２段階で、前記ＵＥが前記ＲＬＦまたは前記ハンドオーバー失敗を経験する前に最近ハンドオーバーを実行したのかの有無に加えて、前記ＵＥによって前記ｅＮＢに送信される前記失敗情報は、ＲＳＲＰ（Ｒｅｆｅｒｅｎｃｅ  Ｓｉｇｎａｌ  Ｒｅｃｅｉｖｉｎｇ  Ｐｏｗｅｒ）、ＲＳＲＱ（Ｒｅｆｅｒｅｎｃｅ  Ｓｉｇｎａｌ  Ｒｅｃｅｉｖｉｎｇ  Ｑｕａｌｉｔｙ）などのような前記ＲＬＦまたは前記ハンドオーバー失敗が発生した時に前記ＵＥの隣接するセルおよび前記ＵＥのサービングセルに対する測定の結果、ＥＣＧＩ（Ｅｎｈａｎｃｅｄ  Ｃｅｌｌ  Ｇｌｏｂａｌ  Ｉｄｅｎｔｉｔｙ）、ＰＣＩ（Ｐｈｙｓｉｃａｌ  Ｃｈａｎｎｅｌ  Ｉｄｅｎｔｉｔｙ）などのような前記ＲＬＦまたは前記ハンドオーバー失敗が発生したセルにハンドオーバーする前に前記ＵＥが位置するセルの識別情報、ＥＣＧＩ、ＰＣＩなどのような前記ＲＬＦまたは前記ハンドオーバー失敗が発生したセルの識別情報、前記ＲＬＦまたは前記ハンドオーバー失敗の時刻および以後のＲＲＣの接続再設定の成功またはＲＲＣの接続設定の成功の時刻間の時間の量の中の少なくとも一つを更に含むことができる。
【００２６】
すなわち、前記ＵＥは前記ＲＬＦまたは前記ハンドオーバー失敗を経験する前に前記ＵＥが最近にハンドオーバーを実行したのかの有無を判断することができるし、以後、前記ＵＥは前記ＵＥがハンドオーバーを実行したことを指示する指示子を前記ｅＮＢに送信することができる。または、前記ＵＥは前記ＵＥが最後のハンドオーバー命令を受信した時刻および前記ＲＬＦまたは前記ハンドオーバー失敗が発生した時刻間の時間の量を直接に前記ｅＮＢに送信して、これによって、前記ｅＮＢが前記ＲＬＦまたは前記ハンドオーバー失敗を経験する前に前記ＵＥが最近ハンドオーバーを実行したのかの有無を判断することができる。
【００２７】
以後、前記３０３段階で、前記ｅＮＢは前記ＵＥによって送信された失敗情報によって前記ＵＥが経験した前記ＲＬＦまたは前記ハンドオーバー失敗の原因を判断する。前記３０３段階で、前記ＵＥが経験した前記ＲＬＦまたは前記ハンドオーバー失敗の原因は、前記ＵＥがあまりにも早くハンドオーバーするためであるか、前記ＵＥがあまりにも遅くハンドオーバーするためであるか、前記ＵＥが誤ったセルにハンドオーバーするためであるか、カバレッジホールのためであることができる。
【００２８】
前述した段階以後、前記ＵＥが経験したＲＬＦまたはハンドオーバー失敗の原因を検出するための手続きは終了される。
【００２９】
図４ａは本発明の実施例による移動通信システムでＵＥがｅＮＢにＲＬＦまたはハンドオーバー失敗情報を送信するためのシグナリングを図示している。
【００３０】
前記図４ａを参考すると、４０１段階で、ＵＥ（使用者装置）４１０はセル１でＲＬＦまたはハンドオーバー失敗を経験する。前記セル１はｅＮＢ１（イーノードビー１） ４２１によって制御されるセルである。
【００３１】
これによって、４０２段階で、前記ＵＥ４１０はセル２でＲＲＣの接続再設定手続きまたはＲＲＣの接続設定手続きを実行する。前記セル２はｅＮＢ２（イーノードビー２） ４２２によって制御されるセルである。前記４０２段階で、前記ＵＥは前記セル２で前記ＲＲＣの接続再設定手続きを始めて、前記ＲＲＣの接続再設定が成功することができる。または、前記ＵＥは前記セル２でＲＲＣの接続再設定手続きを失敗した後、ＲＲＣの接続設定手続きを始めて、前記ＲＲＣの接続設定が成功することができる。または、前記ＵＥは他のセルでＲＲＣの接続再設定手続きまたはＲＲＣの接続設定手続きを失敗して、前記セル２でＲＲＣの接続設定を成功することができる。ＲＲＣの接続再設定完了メッセージ（ＲＲＣ  ｃｏｎｎｅｃｔｉｏｎ  ｒｅ−ｅｓｔａｂｌｉｓｈｍｅｎｔ  ｃｏｍｐｌｅｔｅ  ｍｅｓｓａｇｅ）またはＲＲＣの接続設定完了メッセージ（ＲＲＣ  ｃｏｎｎｅｃｔｉｏｎ ｅｓｔａｂｌｉｓｈｍｅｎｔ  ｃｏｍｐｌｅｔｅ  ｍｅｓｓａｇｅ）は有效なＲＬＦ情報指示子を含むことができる。前記ＲＬＦ情報指示子はＲＬＦに対する情報またはハンドオーバー失敗に対する情報を含むことができる。
【００３２】
以後、４０３段階で、前記ＵＥ４１０は活性状態に進入して、Ｅ−ＵＴＲＡＮシステムに接続した後、前記ｅＮＢ２ ４２２にＲＬＦ情報報告を送信する。前記活性状態は接続モードと呼ばれることができる。前記ＲＬＦ情報報告は前記図３の前記３０２段階でＵＥからｅＮＢへ送信された失敗報告に含まれたものと等しい情報を含むことができる。
【００３３】
続いて、４０４段階で、前記ｅＮＢ２ ４２２は前記ＲＬＦが発生したセルを制御する前記ｅＮＢ１ ４２１に前記ＲＬＦ情報報告を送信する。前記４０４段階で、前記ｅＮＢ２ ４２２は前記ＲＬＦまたは前記ハンドオーバー失敗が発生したセルの識別情報を利用して前記ｅＮＢ１ ４２１を捜す。前記ＲＬＦ情報は前記ＲＬＦまたは前記ハンドオーバー失敗が発生した時に前記ＵＥ４１０の隣接するセルおよび前記ＵＥ４１０のサービングセルに対する測定の結果、前記ＵＥ４１０が前記ＲＬＦまたは前記ハンドオーバー失敗を経験する前に最近ハンドオーバーを実行したのかの有無を知らせる情報、前記ＲＬＦまたは前記ハンドオーバー失敗が発生したセルにハンドオーバーする前に前記ＵＥ４１０が位置するセルの識別情報、前記ＲＬＦまたは前記ハンドオーバー失敗が発生したセルの識別情報、前記ＲＬＦまたは前記ハンドオーバー失敗の時刻および以後のＲＲＣの接続再設定の成功またはＲＲＣの接続設定の成功の時刻間の時間の量、ＥＣＧＩのような前記ＲＲＣの接続の再設定または設定が行われたセルの識別情報の中の少なくとも一つを含むことができる。前記ＲＬＦ情報報告は従来技術によるＲＬＦ指示メッセージ（ＲＬＦ  Ｉｎｄｉｃａｔｉｏｎ  ｍｅｓｓａｇｅ）であるかまたは新たに定義されたメッセージであることができる。
【００３４】
前記４０３段階および前記４０４段階で、前記図３の３０２段階と同様に、前記ＵＥ４１０が前記ＲＬＦまたは前記ハンドオーバー失敗を経験する前にハンドオーバーしたことがあるのかの有無を判断し、前記ＵＥ４１０がハンドオーバーしたことを示す指示子を前記ｅＮＢに送信することができる。または、前記ＵＥ４１０は前記ＵＥ４１０が最後のハンドオーバー命令を受信した時刻および前記ＲＬＦまたは前記ハンドオーバー失敗が発生した時刻間の時間の量を直接に前記ｅＮＢに送信して、これによって、前記ｅＮＢが前記ＲＬＦまたは前記ハンドオーバー失敗を経験する前に前記ＵＥ４１０が最近ハンドオーバーを実行したのかの有無を判断することができる。
【００３５】
以後、４０５段階で、前記ｅＮＢ１ ４２１は前記ＵＥ４１０が経験したＲＬＦまたはハンドオーバー失敗の原因を判断する。前記ｅＮＢ１ ４２１が前記失敗の原因があまりにも早いハンドオーバーまたは、誤ったセルへのハンドオーバーと判断した場合、前記ｅＮＢ１ ４２１はあまりにも早いハンドオーバー報告（ｔｏｏ−ｅａｒｌｙ−ｈａｎｄｏｖｅｒ  ｒｅｐｏｒｔ）または、誤ったセルハンドオーバー報告（ｈａｎｄｏｖｅｒ−ｔｏ−ｗｒｏｎｇ−ｃｅｌｌ  ｒｅｐｏｒｔ）をソースセル（ｓｏｕｒｃｅ  ｃｅｌｌ）に送信する必要がある（すなわちセルがハンドオーバーをトリガーする)。
【００３６】
図４ｂは本発明の他の実施例による移動通信システムでＵＥがｅＮＢにＲＬＦまたはハンドオーバー失敗情報を送信するためのシグナリングを図示している。
【００３７】
前記図４ｂを参考すると、４５１段階で、ＵＥ４１０はセル１でＲＬＦまたはハンドオーバー失敗を経験する。前記セル１はｅＮＢ１ ４２１によって制御されるセルである。
【００３８】
これによって、４５２段階で、前記ＵＥ４１０はセル２でＲＲＣの接続再設定手続きまたはＲＲＣの接続設定を実行する。前記セル２はｅＮＢ２ ４２２によって制御されるセルである。前記４５２段階で、前記ＵＥ４１０は前記セル２で前記ＲＲＣの接続再設定手続きを始めて、前記ＲＲＣの接続再設定が成功することができる。または、前記ＵＥ４１０は前記セル２でＲＲＣの接続再設定手続きを失敗した後、ＲＲＣの接続設定手続きを始めて、前記ＲＲＣの接続設定が成功することができる。または、前記ＵＥ４１０は他のセルでＲＲＣの接続再設定手続きまたはＲＲＣの接続設定手続きを失敗して、前記セル２でＲＲＣの接続設定を成功することができる。ＲＲＣの接続再設定完了メッセージまたはＲＲＣの接続設定完了メッセージは有效なＲＬＦ情報指示子を含むことができる。前記ＲＬＦ情報指示子はＲＬＦに対する情報またはハンドオーバー失敗に対する情報を含むことができる。
【００３９】
以後、４５３段階で、前記ＵＥ４１０が活性状態に進入して、Ｅ−ＵＴＲＡＮシステムに接続すれば、前記ｅＮＢ２ ４２２は前記ＵＥ４１０にＲＬＦ情報要求を送信する。これによって、４５４段階で、前記ＵＥ４１０は前記ｅＮＢ２ ４２２にＲＬＦ情報報告を送信する。前記ＲＬＦ情報要求手続きおよび前記ＲＬＦ情報報告手続きのそれぞれは従来技術のＵＥの情報要求手続きおよび従来技術のＵＥの情報回答手続きと似ていたり、または、新たに定義されたＲＲＣメッセージング手続きに従うことができる。前記ＲＬＦ情報報告は前記図３の前記３０２段階でＵＥからｅＮＢに送信された失敗報告に含まれたものと等しい情報を含むことができる。
【００４０】
続いて、４５５段階で、前記ｅＮＢ２ ４２２は前記ＲＬＦが発生したセルを制御する前記ｅＮＢ１ ４２１に前記ＲＬＦ情報報告を送信する。前記４５４段階で、前記ｅＮＢ２ ４２２は前記ＲＬＦまたは前記ハンドオーバー失敗が発生したセルの識別情報を利用して前記ｅＮＢ１ ４２１を捜す。前記ＲＬＦ情報は前記ＲＬＦまたは前記ハンドオーバー失敗が発生した時に前記ＵＥ４１０の隣接するセルおよび前記ＵＥ４１０のサービングセルに対する測定の結果、前記ＵＥ４１０が前記ＲＬＦまたは前記ハンドオーバー失敗を経験する前に最近ハンドオーバーを実行したのかの有無を知らせる情報、前記ＲＬＦまたは前記ハンドオーバー失敗が発生したセルにハンドオーバーする前に前記ＵＥ４１０が位置するセルの識別情報、前記ＲＬＦまたは前記ハンドオーバー失敗が発生したセルの識別情報、前記ＲＬＦまたは前記ハンドオーバー失敗の時刻および以後のＲＲＣの接続再設定の成功またはＲＲＣの接続設定の成功の時刻間の時間の量、ＥＣＧＩのような前記ＲＲＣの接続再設定または設定が行われたセルの識別情報の中の少なくとも一つを含むことができる。前記ＲＬＦ情報報告は従来技術によるＲＬＦ指示メッセージであるかまたは新たに定義されたメッセージであることができる。
【００４１】
前記４５４段階および前記４５５段階で、前記図３の３０２段階と同様に、前記ＵＥ４１０が前記ＲＬＦまたは前記ハンドオーバー失敗を経験する前にハンドオーバーしたことがあるのかの有無を判断し、前記ＵＥ４１０がハンドオーバーしたことを示す指示子を前記ｅＮＢに送信することができる。または、前記ＵＥ４１０は前記ＵＥ４１０が最後のハンドオーバー命令を受信した時刻および前記ＲＬＦまたは前記ハンドオーバー失敗が発生した時刻間の時間の量を直接に前記ｅＮＢに送信して、これによって、前記ｅＮＢが前記ＲＬＦまたは前記ハンドオーバー失敗を経験する前に前記ＵＥ４１０が最近ハンドオーバーを実行したのかの有無を判断することができる。
【００４２】
以後、４５６段階で、前記ｅＮＢ１ ４２１は前記ＵＥ４１０が経験したＲＬＦまたはハンドオーバー失敗の原因を判断する。前記ｅＮＢ１ ４２１が前記失敗の原因があまりにも早いハンドオーバーまたは、誤ったセルへのハンドオーバーと判断した場合、前記ｅＮＢ１ ４２１はあまりにも早いハンドオーバー報告または、誤ったセルハンドオーバー報告をソースセルに送信する（すなわちセルがハンドオーバーをトリガーする）。
【００４３】
前述のように、ＵＥがＲＬＦまたはハンドオーバー失敗情報をｅＮＢに送信するための手続きが実行される。前記ＵＥによって送信された前記ＲＬＦまたはハンドオーバー失敗情報を受信した前記ｅＮＢは前記ＵＥが経験したＲＬＦまたはハンドオーバー失敗の原因を正確に判断し、以下、図５の図示のような手続きを実行する。
【００４４】
図５は本発明の実施例による移動通信システムでＲＬＦまたはハンドオーバー失敗の原因を判断する手続きを図示している。
【００４５】
前記図５を参考すると、５０１段階で、ｅＮＢはＵＥがＲＬＦまたはハンドオーバー失敗を経験する前にハンドオーバーを実行したのかを判断する。もし、前記ＵＥがＲＬＦまたはハンドオーバー失敗を経験する前にハンドオーバーを実行しなかったら、前記ｅＮＢは以下の５０２段階に進行し、前記ＵＥがＲＬＦまたはハンドオーバー失敗を経験する前にハンドオーバーを実行したら、前記ｅＮＢは以下の５０５段階に進行する。
【００４６】
ここで、前記ｅＮＢは前記ＵＥから受信される前記ＵＥがＲＬＦまたはハンドオーバー失敗を経験する前にハンドオーバーを実行したのかの有無を知らせる指示子を介して前記ＵＥがＲＬＦまたはハンドオーバー失敗を経験する前にハンドオーバーを実行したのかの有無を直接知ることができる。または、前記ｅＮＢは自身で直接に判断することができる。
【００４７】
前記ＵＥが最後のハンドオーバー命令を受信した時刻および前記ＲＬＦまたは前記ハンドオーバー失敗が発生した時刻間の時間の量のＰＡによって、前記ｅＮＢは前記ＰＡがしきい値より大きいのか否かを判断することで前記ＵＥが最近ハンドオーバーを実行したのかの有無を判断することができる。ここで、前記ＰＡは前記ＵＥが最後のハンドオーバー命令を受信した時刻および前記ＲＬＦまたは前記ハンドオーバー失敗が発生した時刻間の時間の区間を指示する。前記ＰＡが前記しきい値より大きい場合、これは前記ＵＥがハンドオーバーを実行しないことを意味する。一方、ＰＡが前記しきい値より小さいか、または等しい場合、これは前記ＵＥが接続失敗の前にハンドオーバーを実行したことを意味する。
【００４８】
５０２段階で、前記ｅＮＢは前記ＵＥによって送信されたＲＬＦ情報報告に前記ＵＥによって測定された良好な信号品質セル（ｇｏｏｄ−ｓｉｇｎａｌ−ｑｕａｌｉｔｙ  ｃｅｌｌ）に対する情報が含まれているのかを判断する。
【００４９】
前記ＵＥによって測定された良好な信号品質セルに対する情報が含まれている場合、５０３段階で、前記ｅＮＢは前記ＵＥが経験した前記ＲＬＦまたは前記ハンドオーバー失敗の原因があまりにも遅いハンドオーバーであることを判断して、本手続きを終了する。
【００５０】
前記ＵＥによって測定された良好な信号品質セルに対する情報が含まれていない場合、５０４段階で、前記ｅＮＢは前記ＵＥが経験した前記ＲＬＦまたは前記ハンドオーバー失敗の原因がカバレッジホールであることを判断して、本手続きを終了する。
【００５１】
５０５段階で、前記ｅＮＢはＲＬＦ報告に含まれたＵＥ測定報告内で最高の信号品質を持つセルがＰＤセルなのかを判断する。前記最高の信号品質を持つセルがＰＤセルであれば、前記ｅＮＢは以下の５０８段階に進行し、最高の信号品質を持つセルがＰＤセルではなければ、前記ｅＮＢは以下の５０６段階に進行する。前記ＰＤは前記ＵＥが最後のサービングセルへのハンドオーバーの前に位置したセルの識別情報を意味する。例えば、前記ＰＤはＥＣＧＩを含むことができる。
【００５２】
５０６段階で、前記ｅＮＢはより良好な信号品質を持つ他のセル（すなわちＲＬＦまたはハンドオーバー失敗が発生したセル以外のセル）が存在するのかを判断する。もし、より良好な信号品質を持つ他のセルが存在する場合、前記ｅＮＢは５０７段階に進行し、より良好な信号品質を持つ他のセルが存在しない場合は、前記ｅＮＢは前記５０４段階に進行する。
【００５３】
より良好な信号品質を持つ他のセルが存在する場合、５０７段階で、前記ｅＮＢは前記ＵＥが経験した前記ＲＬＦまたは前記ハンドオーバー失敗の原因が誤ったセルへのハンドオーバーであることを判断して、本手続きを終了する。
【００５４】
前記ＲＬＦ報告に含まれたＵＥ測定報告内で前記最高の信号品質を持つセルがＰＤセルであれば、５０８段階で、前記ｅＮＢは前記ＵＥが経験した前記ＲＬＦまたは前記ハンドオーバー失敗の原因があまりにも早いハンドオーバーであることを判断して、本手続きを終了する。
【００５５】
前述のように、前記ｅＮＢがＲＬＦまたは前記ハンドオーバー失敗の原因を判断する手続きが実行される。
【００５６】
前記図５に図示された実施例で、前記５０１段階、前記５０２段階、前記５０５段階、前記５０６段階はＲＬＦまたはハンドオーバー失敗の原因を判断するための条件を意味する。この時、本発明の他の実施例に基づいて、いくつかの判断条件は省略することができる。例えば、前記ｅＮＢは前記５０２段階の判断なしに前記５０１段階の条件が満たされると、前記５０３段階に進行してＲＬＦまたはハンドオーバー失敗の原因があまりにも遅いハンドオーバーであることを判断することができる。
【００５７】
ｅＮＢはＵＥがカバレッジホールに進入するか、または、ハンドオーバーを試みたがカバレッジホールに進入したことを判断した場合、前記ｅＮＢはＲＬＦまたはハンドオーバー失敗が発生した時刻および続くＲＲＣの接続再設定の成功またはＲＲＣの接続設定の成功時刻間の時間の量によって前記カバレッジホールの大きさを更に判断することができる。そして、前記ｅＮＢはカバレッジ最適化を実行することができる。
【００５８】
前記図４ａ、前記図４ｂおよび前記図５はＳＡＥシステムを例にしてＵＥが経験したＲＬＦまたはハンドオーバー失敗の原因を検出する方案の実施例を説明している。しかし、本発明はこれに限定されなくて、他のシステムにも等しく適用することができる。
【００５９】
まとめると、本発明の実施例によるＵＥが経験したＲＬＦまたはハンドオーバー失敗の原因を検出する方案によると、前記ｅＮＢがＲＬＦ情報報告によって前記ＵＥが経験したＲＬＦまたはハンドオーバー失敗の原因を正しく判断するように、前記ＵＥがＲＬＦまたはハンドオーバー失敗に対する情報を含む前記ＲＬＦ情報報告をｅＮＢに送信する。これによって、検出された原因に応じて、移動通信システムのための適切な自己最適化が実行されることができる。これにより、移動通信システムの性能が向上することができる。
【００６０】
図６は本発明の実施例による移動通信システムにおけるＵＥのブロック構成を図示している。
【００６１】
前記図６の図示のように、前記ＵＥはＲＦ（Ｒａｄｉｏ  Ｆｒｅｑｕｅｎｃｙ）処理部６１０、モデム６２０、保存部６３０、制御部６４０を含んで構成される。
【００６２】
前記ＲＦ処理部６１０は信号の帯域変換、増幅などの無線チャンネルを介して信号を送受信するための機能を実行する。すなわち、前記ＲＦ処理部６１０は前記モデム６２０から提供される基底帯域信号をＲＦ帯域信号にアップコンバート（上向き変換）した後にアンテナを介して送信して、前記アンテナを介して受信されるＲＦ帯域信号を基底帯域信号にダウンコンバート（下向き変換）する。例えば、前記ＲＦ処理部６１０は増幅器、ミキサー、オシレーター、ＤＡＣ（Ｄｉｇｉｔａｌ  ｔｏ  Ａｎａｌｏｇ  Ｃｏｎｖｅｒｔｏｒ）、ＡＤＣ（Ａｎａｌｏｇ  ｔｏ  Ｄｉｇｉｔａｌ  Ｃｏｎｖｅｒｔｏｒ）などを含むことができる。
【００６３】
前記モデム６２０はシステムの物理層の規格によって基底帯域信号およびビット列間の変換機能を実行する。例えば、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式による場合、データ送信の時に、前記モデム６２０は送信ビット列を符号化および変調することで、複素シンボルを生成して、前記複素シンボルを副搬送波にマッピングした後、ＩＦＦＴ（Ｉｎｖｅｒｓｅ  Ｆａｓｔ  Ｆｏｕｒｉｅｒ  Ｔｒａｎｓｆｏｒｍ）演算およびＣＰ（Ｃｙｃｌｉｃ  Ｐｒｅｆｉｘ）挿入を通じてＯＦＤＭシンボルを構成する。また、データ受信の時に、前記モデム６２０は前記ＲＦ処理部６１０から提供される基底帯域信号をＯＦＤＭシンボル単位で分割し、ＦＦＴ（Ｆａｓｔ  Ｆｏｕｒｉｅｒ  Ｔｒａｎｓｆｏｒｍ）演算を通じて副搬送波にマッピングされた信号を復元した後、復調および復号化を通じて受信ビット列を復元する。
【００６４】
前記保存部６３０は前記ＵＥの動作のために用いられる基本プログラム、システム情報などのデータを保存する。そして、前記保存部６３０は前記制御部６４０の要求に応じて保存されたデータを提供する。
【００６５】
前記制御部６４０は前記ＵＥの全般的な機能を制御する。例えば、前記制御部６４０は送信パケットおよびメッセージを生成して前記モデム６２０に提供して、前記モデム６２０から提供される受信パケットおよびメッセージを解釈する。特に、本発明の実施例によって、前記制御部６４０はＲＬＦまたはハンドオーバー失敗を経験した場合にＲＬＦ情報報告を提供する。例えば、前記制御部６４０は前記ＵＥが前記図４ａまたは前記図４ｂのように動作するように制御する。前記ＲＬＦ情報報告を提供するための前記制御部６４０の動作は次のようである。
【００６６】
ＲＬＦまたはハンドオーバー失敗を経験すれば、前記制御部６４０は接続再設定または接続設定手続きを通じて接続モードに進入する。前記接続モードに進入した後、前記制御部６４０はＲＬＦ情報報告を生成して、前記モデム６２０および前記ＲＦ処理部６１０を介して接続された基地局に前記ＲＬＦ情報報告を送信するように制御する。この時、前記制御部６４０は、前記ｅＮＢからの要求に応じて、または、自発的に、前記ＲＬＦ情報報告を送信する。ここで、前記ＲＬＦ情報報告は、前記ＵＥがＲＬＦまたはハンドオーバー失敗を経験する前にハンドオーバーを実行したことがあるのかの有無を知らせる情報、ＲＬＦまたはハンドオーバー失敗が発生した時に前記ＵＥの隣接するセルおよびサービングセルに対するＵＥ測定の結果、ＲＬＦまたはハンドオーバー失敗が発生したセルにハンドオーバーする前に前記ＵＥが位置するセルの識別情報、ＲＬＦまたはハンドオーバー失敗が発生したセルの識別情報、ＲＬＦまたはハンドオーバー失敗の時刻および以後のＲＲＣ接続再設定の成功またはＲＲＣ接続設定の成功の時刻間の時間の量の中の少なくとも一つを含むことができる。
【００６７】
前記ＲＬＦ情報報告に含まれる前記ＵＥがＲＬＦまたはハンドオーバー失敗を経験する前にハンドオーバーを実行したことがあるのかの有無を知らせる情報は、前記ハンドオーバーを実行したのかの有無を指示する指示子および前記ＵＥが最後のハンドオーバー命令を受信した時刻および前記ＲＬＦまたは前記ハンドオーバー失敗が発生した時刻間の時間の量の中の少なくとも一つを含むことができる。前記ハンドオーバーを実行したのかの有無を指示する指示子が含まれる場合、前記制御部６４０は前記ＲＬＦまたは前記ハンドオーバー失敗を経験する前に前記ＵＥがハンドオーバーを実行したのかの有無を判断して、前記指示子を送信するように制御する。前記ＵＥが最後のハンドオーバー命令を受信した時刻および前記ＲＬＦまたは前記ハンドオーバー失敗が発生した時刻間の時間の量が含まれる場合、前記制御部６４０は前記時間の量を送信するように制御する。
【００６８】
図７は本発明の実施例による移動通信システムにおけるｅＮＢのブロック構成を図示している。
【００６９】
前記図７の図示のように、前記ｅＮＢはＲＦ処理部７１０、モデム７２０、バックホール通信部７３０、保存部７４０、制御部７５０を含んで構成される。
【００７０】
前記ＲＦ処理部７１０は信号の帯域変換、増幅など無線チャンネルを介して信号を送受信するための機能を実行する。すなわち、前記ＲＦ処理部７１０は前記モデム７２０から提供される基底帯域信号をＲＦ帯域信号にアップコンバート（上向き変換）した後にアンテナを介して送信して、前記アンテナを介して受信されるＲＦ帯域信号を基底帯域信号にダウンコンバート（下向き変換）する。例えば、前記ＲＦ処理部７１０は増幅器、ミキサー、オシレーター、ＤＡＣ、ＡＤＣなどを含むことができる。
【００７１】
前記モデム７２０はシステムの物理層の規格によって基底帯域信号およびビット列間の変換機能を実行する。例えば、ＯＦＤＭ方式による場合は、データ送信の時に、前記モデム７２０は送信ビット列を符号化および変調することで複素シンボルを生成して、前記複素シンボルを副搬送波にマッピングした後、ＩＦＦＴ演算およびＣＰ挿入を通じてＯＦＤＭシンボルを構成する。また、データ受信の時に、前記モデム７２０は前記ＲＦ処理部７１０から提供される基底帯域信号をＯＦＤＭシンボル単位で分割して、ＦＦＴ演算を通じて副搬送波にマッピングされた信号を復元した後、復調および復号化を通じて受信ビット列を復元する。
【００７２】
前記バックホール通信部７３０は前記ｅＮＢが他のエンティティー（例：他のｅＮＢ、ＭＭＥ、ＧＷなど）と通信を実行するためのインターフェースを提供する。前記バックホール通信部７３０は前記ｅＮＢで前記他のエンティティーに送信されるビット列を物理的信号に変換して、前記他のエンティティーから受信される物理的信号をビット列に変換する。例えば、前記バックホール通信部７３０はＸ２インターフェースを支援する。前記保存部７４０は前記ｅＮＢの動作のための基本プログラム、システム情報などのデータを保存する。そして、前記保存部７４０は前記制御部７５０の要求に応じて保存されたデータを提供する。
【００７３】
前記制御部７５０は前記ｅＮＢの全般的な機能を制御する。例えば、前記制御部７５０は送信パケットおよびメッセージを生成して前記モデム７２０に提供して、前記モデム７２０から提供される受信パケットおよびメッセージを解釈する。また、前記制御部７５０は他のエンティティーとのシグナリングのためのメッセージを生成および解釈する。特に、本発明の実施例によって、前記制御部７５０はＵＥから受信されたＲＬＦ情報報告をＲＬＦまたはハンドオーバー失敗が発生したセルを制御するｅＮＢに送信するように制御する。また、本発明の実施例によって、前記制御部７５０は他のｅＮＢから自身のセルで発生したＲＬＦまたはハンドオーバー失敗に対するＲＬＦ情報報告を受信して、前記ＲＬＦまたは前記ハンドオーバー失敗の原因を判断する。例えば、前記制御部７５０は前記ｅＮＢが前記図４ａまたは前記図４ｂのｅＮＢ２ ４２２またはｅＮＢ１ ４２１のように動作するように制御する。
【００７４】
ＵＥから受信されたＲＬＦ情報報告をＲＬＦまたはハンドオーバー失敗が発生したセルを制御するｅＮＢに送信するための前記制御部７５０の動作は次のようである。先に、前記制御部７５０はＲＬＦまたはハンドオーバー失敗を経験したＵＥと接続再設定または接続設定手続きを実行して、前記ＲＦ処理部７１０および前記モデム７２０を介して前記ＵＥからＲＬＦ情報報告を受信する。この時、前記制御部７５０は前記ＵＥに前記ＲＬＦ情報報告の送信を要求することができる。そして、前記制御部７５０は前記バックホール通信部７３０を介して前記ＲＬＦ情報報告を前記ＲＬＦまたは前記ハンドオーバーが発生したセルを制御する基地局に送信する。ここで、前記ＲＬＦ情報報告は、前記ＵＥがＲＬＦまたはハンドオーバー失敗を経験する前にハンドオーバーを実行したことがあるのかの有無を知らせる情報を含んでいる。さらに、前記ＵＥがＲＬＦまたはハンドオーバー失敗を経験する前にハンドオーバーを実行したことがあるのかの有無を知らせる情報は前記ハンドオーバーを実行したのかの有無を指示する指示子および前記ＵＥが最後のハンドオーバー命令を受信した時刻および前記ＲＬＦまたは前記ハンドオーバー失敗が発生した時刻間の時間の量の中の少なくとも一つを含むことができる。
【００７５】
前記ＲＬＦまたは前記ハンドオーバー失敗の原因を判断するための前記制御部７５０の動作は、次のようである。前記制御部７５０は前記バックホール通信部７３０を介して他のｅＮＢからＲＬＦまたはハンドオーバー失敗を経験したＵＥによって生成されたＲＬＦ情報報告を受信して、前記ＲＬＦ情報報告によって前記ＲＬＦまたは前記ハンドオーバー失敗の原因を判断する。例えば、前記制御部７５０は、前記ＵＥがＲＬＦまたはハンドオーバー失敗を経験する前にハンドオーバーを実行したことがあるという条件、前記ＲＬＦ情報報告に良好な信号品質のセルの情報が含まれているという条件の中の少なくとも一つが満足される場合、前記ＲＬＦまたは前記ハンドオーバー失敗の原因があまりにも遅いハンドオーバーであることを判断する。例えば、前記制御部７５０は、前記ＵＥがＲＬＦまたはハンドオーバー失敗を経験する前にハンドオーバーを実行したことがないという条件、最高の信号品質を持つセルが前記ＵＥが最後のサービングセルへのハンドオーバーの前に位置したセルという条件の中の少なくとも一つが満足される場合、前記ＲＬＦまたは前記ハンドオーバー失敗の原因があまりにも早いハンドオーバーであることを判断する。例えば、前記制御部７５０は、前記ＵＥがＲＬＦまたはハンドオーバー失敗を経験する前にハンドオーバーを実行したことがないという条件、最高の信号品質を持つセルが前記ＵＥが最後のサービングセルへのハンドオーバーの前に位置したセルではないという条件、前記ＲＬＦまたは前記ハンドオーバー失敗が発生したセルより良好な信号品質を持つ他のセルが存在するという条件の中の少なくとも一つが満足される場合、前記ＲＬＦまたは前記ハンドオーバー失敗の原因が誤ったセルへのハンドオーバーであることを判断する。
【００７６】
適切な実施例に対する参照とともに発明が説明された。しかし、当業者において、以下の特許請求範囲によって定義される発明の範囲から外れない限度内で形態および具体的な内容の様々な変更が可能であることは自明である。
【符号の説明】
【００７７】
１０１    Ｅ−ＵＴＲＡＮ
１０２    ｅＮＢ（イーノードビー）
１０３    ＨｅＮＢ（ホームイーノードビー）
１０４    ＨｅＮＢ  ＧＷ（ホームイーノードビーゲートウェイ）
１０５    ＭＭＥ（モバイルマネージメントエンティティー）
１０６    Ｓ−ＧＷ（サービングゲートウェイ）
４１０    ＵＥ（使用者装置）
４２１    ｅＮＢ１（イーノードビー１）
４２２    ｅＮＢ２（イーノードビー２）
６１０    ラジオ周波数処理部
６２０    モデム
６３０    保存部
６４０    制御部
７１０    ラジオ周波数処理部
７２０    モデム
７３０    バックホール通信部
７４０    保存部
７５０    制御部
【図１】
0005931070.tif 000002
【図２】
0005931070.tif 000003
【図３】
0005931070.tif 000004
【図４ａ】
0005931070.tif 000005
【図４ｂ】
0005931070.tif 000006
【図５】
0005931070.tif 000007
【図６】
0005931070.tif 000008
【図７】
0005931070.tif 000009